(57)【要約】【課題】帯状部材結束体の外径が基準値よりも小径であっても、重ね合わせ部を確実に密閉して効率よく包装する。【解決手段】中空円筒状の帯状部材結束体を包装する包装材１であって、帯状部材結束体の内周面の周長よりも長い長さと帯状部材結束体の幅に対応する幅とを有する方形状の内周被覆材２と、内周被覆材２の左右各側縁に内方側一側縁がそれぞれ連結され、帯状部材結束体の外周面の周長よりも長い長さと帯状部材結束体の左右の側面を経て外周面に折り返した際に外周面の幅方向に重ね代を確保する幅とを有する方形状の左右の外周側被覆材３，３とからなり、各外周側被覆材３の内方側一側縁が複数のひだ３１によって内周被覆材２の長さに対応する長さに縮小されている。【選択図】図１
2014108825.tif 000002
【特許請求の範囲】
【請求項１】
中空円筒状の帯状部材結束体を包装する包装材であって、帯状部材結束体の内周面の周長よりも長い長さと帯状部材結束体の幅に対応する幅とを有する方形状の内周被覆材と、内周被覆材の左右各側縁に内方側一側縁がそれぞれ連結され、帯状部材結束体の外周面の周長よりも長い長さと帯状部材結束体の左右の側面を経て外周面に折り返した際に外周面の幅方向に重ね代を確保する幅とを有する方形状の左右の外周側被覆材とからなり、各外周側被覆材の内方側一側縁が複数のひだによって内周被覆材の長さに対応する長さに縮小されていることを特徴とする帯状部材結束体の包装材。
【請求項２】
中空円筒状帯状部材の左右の側面、内周面及び外周面が周方向に間隔をおいて緩衝材を介して複数本の結束バンドによって結束された帯状部材結束体を包装する包装方法であって、請求項１に記載の包装材の内周被覆材の長手方向一端縁を帯状部材結束体の選択された緩衝材の内周面に貼着するとともに、該内周被覆材の長手方向一端縁に連続する左右の外周側被覆材の長手方向一端縁をそれぞれ帯状部材結束体の左右の側面を経てその外周面に折り返して重ね合わせ、それらの重ね合わせ部を貼着し、次いで、内周被覆材を貼着された長手方向一端縁を始端として帯状部材結束体の内周面に沿わせて始端側一端縁を超えて巻き回す一方、左右の外周側被覆材をそれぞれ帯状部材結束体の左右の側面を経てその外周面に折り返して重ね合わせるとともに、始端側一端縁を超えて巻き回した後、左右の外周側被覆材のうち上方の外周側被覆材の他側縁部を下方の外周側被覆材に全周にわたって貼着してそれらの重ね合わせ部を密閉し、次いで、内周被覆材の終端側他端縁部及び左右の外周側被覆材の終端側他端縁部を下方の内周被覆材及び左右の外周側被覆材に貼着してそれらの重ね合わせ部を密閉することを特徴とする帯状部材結束体の包装方法。
【請求項３】
請求項２に記載の帯状部材結束体の包装方法において、包装材の内周被覆材の長手方向一端縁を、帯状部材結束体における帯状部材の巻き終わり端部の巻取り方向下流側直近の緩衝材に貼着することを特徴とする帯状部材結束体の包装方法。
【発明の詳細な説明】
【技術分野】
【０００１】
この発明は、中空円筒状の帯状部材結束体の包装材及び包装材を用いた帯状部材結束体の包装方法に関するものである。
【背景技術】
【０００２】
従来より、老朽化した下水道管等の既設管を更生するため、帯状部材を螺旋状に巻き回して螺旋管を製管し、製管された螺旋管によって既設管をライニングすることが実施されている。この施工に際して使用される帯状部材は、中空円筒状の帯状部材結束体として施工現場に輸送される。具体的には、帯状部材結束体は、帯状部材を製造ドラムを利用して中空円筒状に巻き重ねた後、帯状部材の解け出しを防止するため、周方向に間隔をおいて、例えば、９０度の間隔をおいて中空円筒状帯状部材の内周面、左右の側面及び外周面にわたって緩衝材を介して結束バンドを巻き回して結束することにより製造される（例えば、特許文献１参照）。
【０００３】
このような帯状部材結束体は、工場での保管時や施工現場への輸送時において、帯状部材の損傷や汚れ、紫外線による劣化等を防止するため、シート状の包装材によって包装される（例えば、特許文献２参照）。
【先行技術文献】
【特許文献】
【０００４】
【特許文献１】特開２００９−１０７７２３号公報
【特許文献２】特開２００８−０７４４１１号公報
【発明の概要】
【発明が解決しようとする課題】
【０００５】
ところで、帯状部材結束体は、帯状部材を製造ドラムに巻き重ねて製造されることから、その内径及び幅は製造ドラムによって規定される。一方、帯状部材結束体の外径については、巻き重ねられる帯状部材の長さによって変化する。
【０００６】
この場合、帯状部材結束体をトラック輸送する際の最大地上高の制約から、外径が基準の外径を超えることはまずないが、帯状部材の種類等によっては、基準の外径よりも小径の帯状部材結束体が製造されることがある。
【０００７】
ここに、特許文献２に示した包装材は、包装される中空円筒状帯状部材の内外径及び幅が一定であることを前提としており、基準の外径よりも小径の中空円筒状帯状部材を包装する場合には、次のような問題が発生し得る。すなわち、中空円筒状帯状部材の外周面に被覆部をあてがってその左右の側面にそれぞれ折り返し、さらに、被覆部に対して左右の被覆シートを中空円筒状帯状部材の内周面にそれぞれ折り返して重ね合わせ、その内周面において、重ね合わせた上方の被覆シートの側縁部を他方の被覆シートに粘着テープを貼着して密閉することから、中空円筒状帯状部材の外径が小さくなった分被覆部の左右側縁部が内周面に移動し、被覆シートがだぶついたり、ずれたりして見栄えが低下する。しかも、帯状部材結束体の内周面において、だぶついたり、ずれたりした被覆シートの重ね合わせ部を粘着テープで密閉するように全周にわたって貼着することは、制約された作業空間及び不自然な作業姿勢と相俟って容易ではない。このため、包装材で包装された帯状部材結束体、すなわち、包装体を屋外に保管する際、あるいは、輸送する際、左右の被覆シートの重ね合わせ部の粘着テープによる不完全な密閉部分から雨水等が浸入し、包装体内部に雨水が溜まった状態が発生する場合があり、これにより、帯状部材が汚損され、あるいは、輸送時に包装材が剥がれて荷台に雨水等が浸出するといった事態が発生し得る。
【０００８】
本発明は、このような問題点に鑑みてなされたもので、帯状部材結束体の外径が基準値よりも小径であっても、重ね合わせ部を確実に密閉して効率よく包装することのできる帯状部材結束体の包装材及びその包装方法を提供するものである。
【課題を解決するための手段】
【０００９】
本発明の帯状部材結束体の包装材は、中空円筒状の帯状部材結束体を包装する包装材であって、帯状部材結束体の内周面の周長よりも長い長さと帯状部材結束体の幅に対応する幅とを有する方形状の内周被覆材と、内周被覆材の左右各側縁に内方側一側縁がそれぞれ連結され、帯状部材結束体の外周面の周長よりも長い長さと帯状部材結束体の左右の側面を経て外周面に折り返した際に外周面の幅方向に重ね代を確保する幅とを有する方形状の左右の外周側被覆材とからなり、各外周側被覆材の内方側一側縁が複数のひだによって内周被覆材の長さに対応する長さに縮小されていることを特徴とするものである。
【００１０】
本発明によれば、包装材の内周被覆材の長手方向一端縁を帯状部材結束体の選択された緩衝材の内周面に貼着し、この貼着された一端縁を基準として、内周被覆材を帯状部材結束体の内周面に巻き回す一方、左右の外周側被覆材を内周被覆材に対して帯状部材結束体の左右の側面に沿うように折り返すとともに、その外周面に沿うように折り返しつつ左右の側面及び外周面の周方向に巻き回す。この際、左右の外周側被覆材を帯状部材結束体の外周面においてひだを伸ばしながら配置することにより、だぶつきや弛みを発生させることなく巻き回すことができる。
【００１１】
したがって、外径が基準よりも小径の帯状部材結束体であっても、幅方向及び周方向の重ね代が大きくなるものの、ひだを伸ばすことによってだぶつきや弛みを発生させることなく外周面に巻き回すことができ、周方向の重ね合わせ部及び幅方向の重ね合わせ部を確実に密閉状態で貼着することができる。また、主に帯状部材結束体の外側に位置して立ち姿勢で包装することができ、効率よく作業することができる。
【００１２】
この結果、基準の帯状部材結束体はもちろん、それよりも小径であっても、重ね合わせ部を確実に密閉して効率よく包装することができる。
【００１３】
本発明の帯状部材結束体の包装方法は、中空円筒状帯状部材の左右の側面、内周面及び外周面が周方向に間隔をおいて緩衝材を介して複数本の結束バンドによって結束された帯状部材結束体を包装する包装方法であって、請求項１に記載の包装材の内周被覆材の長手方向一端縁を帯状部材結束体の選択された緩衝材の内周面に貼着するとともに、該内周被覆材の長手方向一端縁に連続する左右の外周側被覆材の長手方向一端縁をそれぞれ帯状部材結束体の左右の側面を経てその外周面に折り返して重ね合わせ、それらの重ね合わせ部を貼着し、次いで、内周被覆材を貼着された長手方向一端縁を始端として帯状部材結束体の内周面に沿わせて始端側一端縁を超えて巻き回す一方、左右の外周側被覆材をそれぞれ帯状部材結束体の左右の側面を経てその外周面に折り返して重ね合わせるとともに、始端側一端縁を超えて巻き回した後、左右の外周側被覆材のうち上方の外周側被覆材の他側縁部を下方の外周側被覆材に全周にわたって貼着してそれらの重ね合わせ部を密閉し、次いで、内周被覆材の終端側他端縁部及び左右の外周側被覆材の終端側他端縁部を下方の内周被覆材及び左右の外周側被覆材に貼着してそれらの重ね合わせ部を密閉することを特徴とするものである。
【００１４】
本発明によれば、請求項１に記載の包装材の内周被覆材の長手方向一端縁を帯状部材結束体の選択された緩衝材の内周面に幅を合わせて貼着するとともに、該内周被覆材の長手方向一端縁に連続する左右の外周側被覆材の長手方向一端縁をそれぞれ帯状部材結束体の左右の側面を経てその外周面に折り返して重ね合わせ、それらの重ね合わせ部を貼着する。そして、内周被覆材を貼着された長手方向一端縁を始端として帯状部材結束体の内周面に沿わせて始端側一端縁を超えて巻き回す一方、左右の外周側被覆材をそれぞれ帯状部材結束体の左右の側面を経てその外周面に折り返して重ね合わせるとともに、始端側一端縁を超えて巻き回す。さらに、左右の外周側被覆材のうち上方の外周側被覆材の他側縁部を下方の外周側被覆材に全周にわたって貼着してそれらの重ね合わせ部を密閉した後、内周被覆材の終端側他端縁部及び左右の外周側被覆材の終端側他端縁部を下方の内周被覆材及び左右の外周側被覆材に貼着してそれらの重ね合わせ部を密閉する。
【００１５】
ここで、左右の外周側被覆材を帯状部材結束体の左右の側面を経てその外周面に配置する際、帯状部材結束体の外径が基準よりも小径であっても、重ね代は大きくなるが、基準の外径の場合と同様にひだを伸ばすことによってだぶつきや弛みを発生させることなく巻き回すことができる。したがって、内周被覆材の周方向の重ね合わせ部、左右の外周側被覆材の周方向及び幅方向の重ね合わせ部を確実に密閉状態で貼着することができる。また、主に帯状部材結束体の外側に位置して立ち姿勢で包装することができ、効率よく作業することができる。
【００１６】
この結果、基準の帯状部材結束体はもちろん、それよりも小径であっても、重ね合わせ部を確実に密閉して効率よく包装することができる。
【００１７】
本発明において、包装材の内周被覆材の長手方向一端縁を、帯状部材結束体における帯状部材の巻き終わり端部の巻取り方向下流側直近の緩衝材に貼着することが好ましい。これにより、内周被覆材の始端側一端縁を超えてその上方に終端側他端縁を配置することができる。同様に、左右の外周側被覆材の始端側一端縁を超えてその上方に終端側他端縁を配置することができる。この場合、内周被覆材の長手方向長さ及び外周側被覆材の長手方向長さを帯状部材結束体の内外径（周長）に対応して適宜設定することにより、かつ、頂部側から底部側に向けて巻き回すことにより、内周被覆材の終端側他端縁及び外周側被覆材の終端側他端縁を、それらの重ね合わせ部による開口が下方に向けた状態に配置することが可能となり、雨水等の浸入をさらに抑制することができる。
【発明の効果】
【００１８】
本発明によれば、帯状部材結束体の外径が基準値よりも小径であっても、重ね合わせ部を確実に密閉して効率よく包装することができる。
【図面の簡単な説明】
【００１９】
【図１】本発明の帯状部材結束体の包装材の一実施形態を示す正面図である。
【図２】図１の包装材による帯状部材結束体の包装工程を示す説明図である。
【図３】図２に続いて包装材による帯状部材結束体の包装工程を示す説明図である。
【図４】図３に続いて包装材による帯状部材結束体の包装工程を示す説明図である。
【図５】図１の包装材によって包装された帯状部材結束体である包装体の斜視図である。
【図６】図５の包装体における帯状部材結束体に対する包装材の包装状態を模式的に示す断面図である。
【図７】図５の包装体を施工用ドラムに装着する工程を説明する斜視図である。
【図８】帯状部材結束体を示す斜視図である。
【発明を実施するための形態】
【００２０】
以下、本発明の実施の形態を図面に基づいて説明する。
【００２１】
図１には、本発明の中空円筒状の帯状部材結束体１０の包装材１の一実施形態が示されている。
【００２２】
まず、包装材１を説明するのに先立って、包装対象である帯状部材結束体１０について説明する。
【００２３】
この帯状部材結束体１０は、長尺の帯状部材１００を図示しない製造ドラムに巻き重ねて中空円筒状に形成し、帯状部材１００の解け出しを防止するため、中空円筒状帯状部材１０１の内周面、左右の側面及び外周面にわたって周方向に９０度の間隔をおいてダンボール等の緩衝材１０２を介して結束バンド１０３を巻き回して結束することにより製造される。この帯状部材結束体１０は、外径２０００ｍｍ、内径１２００ｍｍ、幅１１００ｍｍを標準サイズとして設定されている。この場合、帯状部材結束体１０の外周面の周長は６２８０ｍｍ、内周面の周長は３７６８ｍｍとなる。
【００２４】
なお、帯状部材１００の巻き終わり端部には、後述する施工用ドラム７に連結するための連結紐１１０が連結されている。
【００２５】
帯状部材結束体１０を包装対象とする包装材１は、内周被覆材２と、内周被覆材２の左右各側縁にそれぞれ内方側一側縁が縫製された左右の外周側被覆材３，３とからなり、遮光性を有する材質、例えば、アルミニウムが蒸着されたポリエチレンテレフタレートフィルム又はポリエチレンフィルム（厚み０．１５ｍｍ）によって形成されている。
【００２６】
内周被覆材２は、長さ４６００ｍｍ、幅１２２０ｍｍの長方形状に形成され、帯状部材結束体１０の幅に対応する幅を有するように、左右各側縁部が縫い代分内方に折り返されており、その左右各側縁が左右の外周側被覆材３の縫い代分折り返された内方側一側縁に突き合わされて縫製されている。
【００２７】
各外周側被覆材３は、長さ６６００ｍｍ、幅１０００ｍｍの長方形状に形成され、その内方側一側縁に複数のひだ３１を縫製して、長手方向長さが内周被覆材２の長さである４６００ｍｍに縮小されている。そして、外周側被覆材３の内方側一側縁は、前述したように、縫い代分折り返されて、内周被覆材２の縫い代分折り返された左右各側縁と突き合わされて縫製されている。すなわち、図１に示すように、各外周側被覆材３には、その内方側一側縁から外方側他側縁にかけて複数のひだ３１が延長して形成されている。この場合、各ひだ３１は、その内方側一側縁のみが縫製され、その内方側一側縁以外のひだ３１を伸ばすことにより、各外周側被覆材３の外方側他側縁は、帯状部材結束体１０の外周面の周長を超える長さの環状に変形する。
【００２８】
この実施形態においては、外周側被覆材３のひだ３１として、追いかけひだを形成したが、内周被覆材２の長さまで縮めることができれば追いかけひだに限定されず、箱ひだであっても構わない。また、設定間隔おいて規則的にひだ３１を形成しても、不規則にひだ３１を形成してもよい。さらに、内周被覆材２に対して左右の外周側被覆材３に左右対称にひだ３１を形成しても、左右非対称に形成してもよい。
【００２９】
また、各外周側被覆材３には、長手方向一端縁から設定間隔をおいてＣ字状の切れ目による複数個の水抜き穴３ａが形成されている。具体的には、帯状部材結束体１０の中心を通る水平面を基準とし、この基準に外周側被覆材３の長手方向一端縁を合わせて巻き始めた場合、帯状部材結束体１０の底部に対応して複数個の水抜き穴３ａが配置されるように設定されている。
【００３０】
次に、このように形成された包装材１によって帯状部材結束体１０を包装する工程を説明する。
【００３１】
まず、帯状部材結束体１０をフォークリフトトラックを利用して持ち上げ、地面から切り離す。このとき、帯状部材１００の巻き終わり端部を基準として、その巻取り方向下流側直近に位置する緩衝材１０２ｓが帯状部材結束体１０の中心を通る水平面上にほぼ位置するように調整する。
【００３２】
帯状部材結束体１０を支持したならば、水平面上に位置する緩衝材１０２ｓの内周面幅方向に両面テープを貼着した後、包装材１を帯状部材結束体１０の中空部分に挿入し、内周被覆材２の長手方向一端縁を帯状部材結束体１０の幅に合わせて両面テープに貼着する（図２参照）。さらに、包装材１における内周被覆材２の貼着された長手方向一端縁に連続する左右の外周側被覆材３の長手方向一端縁をそれぞれ帯状部材結束体１０の左右の側面に折り返すとともに、その外周面に折り返して重ね合わせた後、重ね合わせた左右の外周側被覆材３，３のうち、上方の外周側被覆材３の長手方向一端縁の他側縁部と下方の外周側被覆材３に対して粘着テープ５を貼着し、包装開始位置とする（図３参照）。
【００３３】
次いで、包装材１の内周被覆材２の貼着された長手方向一端縁を始端として、内周被覆材２を帯状部材結束体１０の内周面に沿って巻き回す。合わせて、左右の外周側被覆材３，３を内周被覆材２の左右各側縁に対して帯状部材結束体１０の左右各側面を経てその外周面にそれぞれ折り返すとともに、貼着された長手方向一端縁を始端としてそれらの上下の重ね合わせを維持しつつ周方向に巻き回す。この際、外周側被覆材３の、帯状部材結束体１０の外周面に配置された部分の各ひだ３１を順に伸ばしながら周方向に巻き回す。これにより、外周側被覆材３は、帯状部材結束体１０の外周面に沿うように環状に変形し、その外周面にだぶつきや弛みを発生させることなく配置される（図４参照）。
【００３４】
なお、帯状部材１００の巻き終わり端部に連結された連結紐１１０を上方の外周側被覆材３の外面側に位置するように引き出しておく。
【００３５】
このように、包装材１の内周被覆材２を帯状部材結束体１０の内周面に沿って巻き回すことにより、その終端側他端縁は帯状部材結束体１０の緩衝材１０２ｓの内周面に貼着された始端側一端縁を超えて配置される。また、包装材１の左右の外周側被覆材３，３をそれぞれ帯状部材結束体１０の左右の側面を経て外周面に折り返しながら周方向に巻き回すことにより、その終端側他端縁は、貼着された始端側一端縁を超えて配置される（図６参照）。具体的には、包装材１における内周被覆材２の終端側一端縁は、帯状部材結束体１０の内周面において、始端側一端縁から周方向に８３２ｍｍｍ離れて配置され、左右の外周側被覆材３，３の終端側一端縁は、帯状部材結束体１０の外周面において、始端側一端縁から周方向に３２０ｍｍｍ離れて配置される。また、左右の外周側被覆材３，３は、帯状部材結束体１０の外周面において、幅方向に１００ｍｍの重ね代を確保して重ね合わされる。
【００３６】
帯状部材結束体１０の内周面、左右の側面及び外周面を包装材１によって被覆したならば、帯状部材結束体１０の外周面上で重ね合わされた左右の外周側被覆材３，３のうち、上方の外周側被覆材３の他側縁部とその下方に配置された外周側被覆材３に粘着テープ５を帯状部材結束体１０の頂部側から底部側に向かうように全周以上にわたって貼着し、それらの重ね合わせ部を密閉する。さらに、包装材１の内周被覆材２の終端側他端縁部及び左右の外周側被覆材３，３の終端側他端縁部とそれらの下方に配置された内周被覆材２及び左右の外周側被覆材３，３に対して粘着テープ５を貼着し、帯状部材結束体１０の内周面、左右の側面及び外周面にわたるそれらの重ね合わせ部を密閉する。
【００３７】
なお、帯状部材１００の巻き終わり端部に連結された連結紐１１０は外周側被覆材３の終端側端縁を超えて引き出される。また、帯状部材結束体１０の底部に対応して、外周側被覆材３に形成された水抜き穴３ａが配置される。
【００３８】
次いで、包装材１によって包装された帯状部材結束体１０、すなわち、包装体１０Ａ（図５参照）の下方に図示しないパレットを配置した後、フォークを下降させて包装体１０Ａをパレット上に載置し、パレット及び包装体１０Ａの内周面にわたって粘着テープを巻き回して包装体１０Ａをパレットに固定する。このようにして形成された包装体１０Ａは、パレットとともに工場等に保管され、あるいは、施工現場に輸送される。
【００３９】
このように、帯状部材結束体１０は包装材１によって包装され、しかも、包装材１の、帯状部材結束体１０の外周面における左右の外周側被覆材３，３の幅方向の重ね合わせ部、帯状部材結束体１０の内周面、左右の側面及び外周面における内周被覆材２及び左右の外周側被覆材３，３の周方向の重ね合わせ部がそれぞれ粘着テープ５によって密閉されることにより、紫外線による帯状部材１００の劣化を防止できるとともに、雨水等の浸入を防止して雨水の浸入に伴う帯状部材１００の汚損等を防止できる。
【００４０】
しかも、左右の外周側被覆材３，３は、ひだ３１を伸ばしながら帯状部材結束体１０の左右の側面及び外周面を周方向及び幅方向にそれぞれ重ね合わせて被覆することにより、だぶつき、弛みによるしわや凹凸等を発生させることなく帯状部材結束体１０の外周面に配置することができるとともに、内周側で作業する場合に比較して、作業空間が拡大し、また、主に立ち姿勢で作業することができる。したがって、左右の外周側被覆材３，３の周方向及び幅方向の重ね合わせ部を粘着テープ５で貼着する際、重ね合わせ部を確実に密閉して効率よく作業することができる。
【００４１】
さらに、包装材１の内周被覆材２は、帯状部材結束体１０の内周面の周長よりも長い長さを有し、また、左右の外周側被覆材３，３は、帯状部材結束体１０の外周面の周長よりも長い長さを有することから、包装材１の長手方向一端縁を帯状部材結束体１０の中心を含む水平線に合わせて始端として下方に向けて巻き回して包装した際に、包装材１の終端側他端縁が始端側一端縁を超えて帯状部材結束体１０の下半部側に位置するように、すなわち、それらの重ね合わせ部の開口が下方を向くように長手方向長さを設定することによって、仮に粘着テープ５による密閉性能に問題があったとしても、雨水等の浸入を可及的に抑制することができる。
【００４２】
ところで、前述した実施形態においては、標準サイズの帯状部材結束体１０を包装材１によって包装する場合を例示したが、標準サイズよりも小径の帯状部材結束体１０を包装する場合も同一の包装材１を用いて同様に包装すればよい。すなわち、標準サイズよりも小径の帯状部材結束体１０であっても、内径及び幅は同一であるから、内周被覆材２によって内周面を何ら変わることなく被覆することができる。また、内周被覆材２の左右各側縁に内方側一側縁が連結された左右の外周側被覆材３，３は、帯状部材結束体１０が小径となった分、その左右側面を経て外周面に折り返される位置が早まり、幅方向の重ね代が大きくなるとともに、周方向の重ね代が大きくなるが、ひだ３１を伸ばすことによって小径の帯状部材結束体１０の外周面にだぶつきや弛みを発生させることなく巻き回して被覆できることに変わりがなく、同様に作業することができる。
【００４３】
一方、包装体１０Ａは、パレット毎施工現場に輸送され、施工現場において、施工用ドラム７に装着される。具体的には、包装体１０Ａとパレットとの固定を解除してパレットを取り除いた後、包装体１０Ａに対向して施工用ドラム７を配置するとともに、包装体１０Ａに向けて転動して内部に収容する。次いで、包装体１０Ａの外周面に合わせて複数本の連結ロッド７２を左右の側枠７１，７１間に順に連結して周囲を包囲した後、包装材１の終端側他端縁から伸びる連結紐１１０を一方の側枠７１に固定すれば、帯状部材１００の引き出しを開始することができる。すなわち、包装材１における内周被覆材２と左右の外周側被覆材３，３との縫製部を切断し、内周被覆材２を取り出した後、結束バンド１０３及び緩衝材１０２を切断すれば、中空円筒状帯状部材１０１の内周面から帯状部材１００の巻き始め端部を引き出すことができる。この際、連結紐１１０を施工用ドラム７の側枠７１に連結することにより、結束バンド１０３の切断によって帯状部材１００に弾性変形時の復元力が作用して周方向に移動し、拡径しようとするのを連結ロッド７２とともに抑えることができる。
【００４４】
なお、前述した実施形態においては、左右の外周側被覆材３，３の幅を、帯状部材結束体１０の内外径の差とその幅との和よりも小さく、帯状部材結束体１０の内外径の差とその幅の１／２との和よりも大きな１０００ｍｍに設定したが、左右の外周側被覆材３，３をそれぞれ帯状部材結束体１０の左右の外周面を経てその外周面に折り返した際に左右の外周側被覆材３，３が幅方向に一定の重ね代を確保して配置できればよく、左右の外周側被覆材３，３の幅を必ずしも同一にする必要はない。
【符号の説明】
【００４５】
１  包装材
２  内周被覆材
３  外周側被覆材
３１  ひだ
５  粘着テープ
７  施工用ドラム
１０  帯状部材結束体
１０Ａ  包装体
１００  帯状部材
１０１  中空円筒状帯状部材
１０２  緩衝材
１０３  結束バンド
【図１】
2014108825.tif 000003
【図２】
2014108825.tif 000004
【図３】
2014108825.tif 000005
【図４】
2014108825.tif 000006
【図５】
2014108825.tif 000007
【図６】
2014108825.tif 000008
【図７】
2014108825.tif 000009
【図８】
2014108825.tif 000010